(57)【要約】【課題】水田作業機において屋根を備えた場合、屋根の取り付け及び取り外しが容易に行え、且つ、屋根を取り外した場合の屋根の保管場所も容易に確保できるように構成する。【解決手段】上方に延出される支持フレーム２９を機体に備え、機体に備えられた運転座席の上方を覆う屋根３０を支持フレーム２９の上部に支持する。屋根３０が、屋根３０の外周部を形成する外フレーム３９〜４２と、外フレーム３９〜４２の内側に亘って連結される内フレーム４３〜４６と、外及び内フレーム３９〜４６に上側から載せ付けられる可撓性のシート３８と、シート３８を外フレーム３９〜４２に取り付け及び取り外し自在な取付手段とを備えている。【選択図】図５
2016067259.tif 000002
【特許請求の範囲】
【請求項１】
上方に延出される支持フレームを機体に備え、機体に備えられた運転座席の上方を覆う屋根を前記支持フレームの上部に支持して、
前記屋根が、前記屋根の外周部を形成する外フレームと、前記外フレームの内側に亘って連結される内フレームと、前記外及び内フレームに上側から載せ付けられる可撓性のシートと、前記シートを前記外フレームに取り付け及び取り外し自在な取付手段とを備えている水田作業機。
【請求項２】
前記シートの端部に第１面ファスナを接合し、前記シートの端部から所定距離だけ内側の部分に第２面ファスナを接合して、
前記シートの端部を前記外フレームに上側から載せ付けて、前記シートの端部を内側に向けて前記外フレームに巻き付けながら、前記第１面ファスナを前記第２面ファスナに接合させることにより、前記シートを前記外フレームに取り付けるように、
前記取付手段が構成されている請求項１に記載の水田作業機。
【請求項３】
前記シートの内側から外側に向けて前記外フレームを挿入自在なポケット状の挿入部を、前記シートの外周部に備えて、
前記シートの挿入部に前記外フレームを挿入することにより、前記シートを前記外フレームに取り付け、前記シートの挿入部から前記外フレームを抜くことにより、前記シートを前記外フレームから取り外すように、
前記取付手段が構成されている請求項１に記載の水田作業機。
【請求項４】
前記シートの内側の部分に開口部を形成して、
前記開口部を上側から閉じ及び上方に開放自在な可撓性のカバー部と、前記カバー部を前記シートの上面に取り付け及び取り外し自在な面ファスナとを備えている請求項１〜３のうちのいずれか一つに記載の水田作業機。
【請求項５】
前記運転座席の後側において機体の後部に横長の作業装置を備え、
前記屋根が前記運転座席の上方と前記作業装置の上方とに亘って備えられ、前記屋根の後部の横幅が前記作業装置の横幅と略同じに設定されている請求項１〜４のうちのいずれか一つに記載の水田作業機。
【請求項６】
機体の前部の右及び左側部に上下向きのフレームを備えて、前記フレームに農用資材載置部を支持させるように構成し、
前記フレームを前記支持フレームとしている請求項１〜５のうちのいずれか一つに記載の水田作業機。
【発明の詳細な説明】
【技術分野】
【０００１】
本発明は、乗用型田植機や乗用型直播機等の水田作業機において、運転座席の上方を覆う屋根の構造に関する。
【背景技術】
【０００２】
水田作業機の一例である乗用型田植機では、特許文献１，２に開示されているように、  上方に延出される支持フレームを機体に備え、機体に備えられた運転座席の上方を覆う屋根を、支持フレームの上部に支持したものがある。
この場合、支持フレームの上部に横向きのフレームを連結し、合成樹脂製の板材を横向きのフレームに連結して、屋根を構成しているものが多くある。
【先行技術文献】
【特許文献】
【０００３】
【特許文献１】特開平１１−１７０８７１号公報（図１，４，５参照）
【特許文献２】特開平９−１９１７１７号公報（図１，２，３参照）
【発明の概要】
【発明が解決しようとする課題】
【０００４】
特許文献１，２に開示されているように、水田作業機に装備される屋根は、日除け及び雨除けという面から比較的大きな面積を備えているので、屋根が強風を受けた場合に大きく揺れることがある。
これにより、例えば水田作業機をトラックの荷台に載せて一般道路を運搬するような場合、走行時の風を屋根が受けることを想定して、屋根を支持フレームから取り外しておくことが好ましい。
【０００５】
しかしながら、比較的大きな面積を備えた屋根において、運搬の為に屋根を支持フレームの上部から取り外したり、作業開始の為に屋根を支持フレームの上部に取り付けたりすることは、手間の要する作業となる。
運搬の為に屋根を支持フレームの上部から取り外した場合、屋根をトラックの荷台に載せる為のスペースを確保するのに苦労することもある。
本発明は、水田作業機において屋根を備えた場合、屋根の取り付け及び取り外しが容易に行え、且つ、屋根を取り外した場合の屋根の保管場所も容易に確保できるように構成することを目的としている。
【課題を解決するための手段】
【０００６】
［Ｉ］
（構成）
本発明の第１特徴は、水田作業機において次のように構成することにある。
上方に延出される支持フレームを機体に備え、機体に備えられた運転座席の上方を覆う屋根を前記支持フレームの上部に支持して、
前記屋根が、前記屋根の外周部を形成する外フレームと、前記外フレームの内側に亘って連結される内フレームと、前記外及び内フレームに上側から載せ付けられる可撓性のシートと、前記シートを前記外フレームに取り付け及び取り外し自在な取付手段とを備えている。
【０００７】
（作用及び発明の効果）
本発明の第１特徴によると、屋根が、外フレーム、内フレーム、シート及び取付手段を備えており、シートは可撓性を備えた薄く軽いものである。
これにより、取付手段を取り外し状態とすることにより、シートを外フレームから容易に取り外して、外及び内フレームから容易に下方に降ろすことができる。同様に、シートを持ち上げて外及び内フレームに容易に載せることができるのであり、シートを外及び内フレームに載せてから取付手段を取り付け状態とすることにより、シートを外フレームに容易に取り付けることができる。
【０００８】
前述のように、シートを外及び内フレームから取り外した後に、シートを丸めたり折りたたんだりして小さくまとめることにより、トラックの荷台等のように限られたスペースにおいても、シートを省スペースで保管することができる。
シートを外及び内フレームから取り外した場合、支持フレームの上部に外及び内フレームが残ることになるのであるが、外及び内フレームは屋根の骨組みに相当して、外及び内フレームの間に大きな空間が生じているので、外及び内フレームが走行時の風や強風を受けても、外及び内フレームの間から走行時の風や強風が抜ける状態となるのであり、外及び内フレームが大きく揺れるようなことはない。
【０００９】
［ＩＩ］
（構成）
本発明の第２特徴は、本発明の第１特徴の水田作業機において次のように構成することにある。
前記シートの端部に第１面ファスナを接合し、前記シートの端部から所定距離だけ内側の部分に第２面ファスナを接合して、
前記シートの端部を前記外フレームに上側から載せ付けて、前記シートの端部を内側に向けて前記外フレームに巻き付けながら、前記第１面ファスナを前記第２面ファスナに接合させることにより、前記シートを前記外フレームに取り付けるように、
前記取付手段が構成されている。
【００１０】
（作用及び発明の効果）
本発明の第２特徴によると、シートを外及び内フレームに載せて、シートの端部を外フレームに上側から内側に向けて巻き付けながら、第１及び第２面ファスナによりシートの端部をシートの内側の部分に接合することにより、シートを外フレームに取り付けることができる。シートの端部をシートの内側の部分から分離することによって（第１及び第２面ファスナを分離することにより）、シートを外フレームから取り外すことができる。
以上のように、本発明の第２特徴によると、第１及び第２面ファスナの接合及び分離により、シートを外フレームに容易に取り付け及び取り外しすることができる。
【００１１】
［ＩＩＩ］
（構成）
本発明の第３特徴は、本発明の第１特徴の水田作業機において次のように構成することにある。
前記シートの内側から外側に向けて前記外フレームを挿入自在なポケット状の挿入部を、前記シートの外周部に備えて、
前記シートの挿入部に前記外フレームを挿入することにより、前記シートを前記外フレームに取り付け、前記シートの挿入部から前記外フレームを抜くことにより、前記シートを前記外フレームから取り外すように、
前記取付手段が構成されている。
【００１２】
（作用及び発明の効果）
本発明の第３特徴によると、シートを外及び内フレームに載せて、シートの挿入部に外フレームを挿入することにより、シートを外フレームに取り付けることができる。シートの挿入部から外フレームを抜くことにより、シートを外フレームから取り外すことができる。
以上のように、本発明の第３特徴によると、シートの挿入部への外フレームの挿入及び抜き出しにより、シートを外フレームに容易に取り付け及び取り外しすることができる。
【００１３】
［ＩＶ］
（構成）
本発明の第４特徴は、本発明の第１〜第３特徴の水田作業機のうちのいずれか一つにおいて次のように構成することある。
前記シートの内側の部分に開口部を形成して、
前記開口部を上側から閉じ及び上方に開放自在な可撓性のカバー部と、前記カバー部を前記シートの上面に取り付け及び取り外し自在な面ファスナとを備えている。
【００１４】
（作用及び発明の効果）
本発明の第４特徴によると、シートを外及び内フレームに取り付けている状態において屋根が強風を受けた場合（特に強風を屋根の下側に受けた場合）、強風が面ファスナの接合力よりも勝ると、面ファスナの接合が外れて、カバー部が上方に開くのであり、強風がシートの開口部を抜ける。
これにより、シートを外及び内フレームに取り付けている状態において屋根が強風を受けても、強風をシートの開口部から抜くことができるのであり、屋根が大きく揺れるような状態を避けることができる。
【００１５】
［Ｖ］
（構成）
本発明の第５特徴は、本発明の第１〜第４特徴の水田作業機のうちのいずれか一つにおいて次のように構成することある。
前記運転座席の後側において機体の後部に横長の作業装置を備え、
前記屋根が前記運転座席の上方と前記作業装置の上方とに亘って備えられ、前記屋根の後部の横幅が前記作業装置の横幅と略同じに設定されている。
【００１６】
（作用及び発明の効果）
乗用型田植機や乗用型直播機等の水田作業機では、運転座席の後側において機体の後部に、施肥装置や播種装置等の横長の作業装置を備えることがある。
本発明の第５特徴によると、屋根が運転座席の上方と作業装置の上方とに亘って備えられ、屋根の後部の横幅が作業装置の横幅と略同じに設定されているので、特に雨天での作業時において、雨が作業装置に掛かるのを少なくすることができる。これにより、作業装置に雨が掛かることによる不具合（例えば粉粒状の肥料が雨により各部に付着して肥料の詰まりに発展する状態）を、少なくすることができる。
【００１７】
［ＶＩ］
（構成）
本発明の第６特徴は、本発明の第１〜第５特徴の水田作業機のうちのいずれか一つにおいて次のように構成することある。
機体の前部の右及び左側部に上下向きのフレームを備えて、前記フレームに農用資材載置部を支持させるように構成し、
前記フレームを前記支持フレームとしている。
【００１８】
（作用及び発明の効果）
乗用型田植機や乗用型直播機等の水田作業機では、機体の前部の右及び左側部に上下向きのフレームを備えて、フレームに農用資材載置部を支持させるように構成することがあり、農用資材載置部に予備の苗や種籾、肥料等を置いておくことがある。
本発明の第６特徴によると、既存の部材といって良い農用資材載置部のフレームに屋根を取り付けているので、農用資材載置部のフレームを屋根の支持フレームに兼用することができて、構造の簡素化を図ることができる。
【図面の簡単な説明】
【００１９】
【図１】乗用型田植機の全体側面図である。
【図２】乗用型田植機の全体左平面図である。
【図３】支持フレームの上部付近の背面図である。
【図４】支持フレームの上部付近の右側面図である。
【図５】屋根におけるフレーム及びシートの分解斜視図である。
【図６】シートの平面図である。
【図７】シートの底面図である。
【図８】シートの縦断正面図である。
【図９】発明の実施の第１別形態において、フレームの斜視図である。
【図１０】発明の実施の第２別形態において、（ａ）シートの平面図であり、（ｂ）シートの底面図である。
【図１１】発明の実施の第３別形態において、（ａ）シートの斜視図であり、（ｂ）シートの外フレームへの取付状態を示す縦断正面図である。
【図１２】発明の実施の第４別形態において、シートの斜視図である。
【図１３】発明の実施の第５別形態において、乗用型田植機の全体左側面図である。
【図１４】発明の実施の第６別形態において、乗用型田植機の全体平面図である。
【発明を実施するための形態】
【００２０】
［１］
図１及び図２に示すように、右及び左の前輪１、右及び左の後輪２を備えた機体の後部に、リンク機構３及びリンク機構３を昇降させる油圧シリンダ４が備えられており、リンク機構３の後部に苗植付装置５（水田作業装置に相当）が支持されて、水田作業機の一例である乗用型田植機が構成されている。
【００２１】
図１及び図２に示すように、苗植付装置５は３個の伝動ケース６、伝動ケース６の後部の右及び左側部に回転自在に支持された回転ケース７、回転ケース７の両端部に備えられた一対の植付アーム８、フロート９及び苗のせ台１０等を備えて６条植え型式に構成されている。これにより、苗のせ台１０が左右に往復横送り駆動されるのに伴って、回転ケース７が回転駆動され、苗のせ台１０の下部から植付アーム８が交互に苗を取り出して田面に植え付ける。
【００２２】
図１及び図２に示すように、運転座席１１の後側において機体の後部に、３個の繰り出し部１２（作業装置に相当）が左右方向に並べて備えられており、３個の繰り出し部１２の上部に亘ってホッパー１３（作業装置に相当）が連結されている。運転座席１１の下側にブロア１４が備えられており、フロート９に備えられた作溝器１５と繰り出し部１２とに亘ってホース１６が接続されている。
【００２３】
以上のように、繰り出し部１２、ホッパー１３、ブロア１４、作溝器１５及びホース１６等により、施肥装置が構成されている。
これにより、ホッパー１３に貯留された肥料が繰り出し部１２により繰り出されて、ブロア１４の搬送風によりホース１６から作溝器１５に供給され、作溝器１５により田面に形成された溝に供給される。
【００２４】
［２］
次に、運転部の付近の構造について説明する。
図１及び図２に示すように、機体にフロア１７が支持されており、フロア１７よりも高い位置の後部ステップ１８がフロア１７の後部に備えられて、後部ステップ１８の左右中央の前部に運転座席１１が備えられている。繰り出し部１２及びホッパー１３が後部ステップ１８の上方に位置するように備えられており、平面視において（図２参照）、ホッパー１３（繰り出し部１２）の横幅が、後述する右及び左のステップ２５に亘る横幅と略同じになるように構成されている。
【００２５】
図１及び図２に示すように、機体の前部にエンジン１９及びミッションケース２０が支持されており、エンジン１９を覆うボンネット２１が備えられて、前輪１を操向操作する操縦ハンドル２２及び走行用の変速レバー２３が、ボンネット２１の後部の上部に備えられている。
【００２６】
図１及び図２に示すように、ボンネット２１の右及び左横側に右及び左の前フロア２４が備えられて、前フロア２４がフロア１７につながっている。フロア１７及び前フロア２４の右及び左横側に、別体の右及び左のステップ２５が支持されており、足掛け部２６がステップ２５に備えられている。
【００２７】
図１及び図２に示すように、機体に連結された右及び左のフレーム２７（上下向きのフレームに相当）が、機体の下部を右及び左の横外側に延出されて、ステップ２５の前部の横外側を上方に延出されており、苗（農用資材に相当）を載置する予備苗のせ台２８（農用資材載置部に相当）がフレーム２７に支持されている。
【００２８】
［３］
次に、運転座席１１の上方を覆う屋根３０（キャノピ）の概要、及び屋根３０を支持する支持フレーム２９について説明する。
図１及び図２に示すように、機体に連結された右及び左の支持フレーム２９が、フロア１７の開口部を通って上方に延出されており、ボンネット２１の右及び左横側面に接するようにして上方に延出されている。右及び左の支持フレーム２９の上下中間部に亘って横フレーム３５が連結されており、右及び左の支持フレーム２９の上部に亘って日除け用のサンバイザー３６が取り付けられている。
【００２９】
図３及び図４に示すように、Ｌ字状に折り曲げられた右及び左の支持部材３１が支持フレーム２９の上端部に連結されており、支持部材３１に補強部材３２が連結されている。丸パイプ状の横フレーム３３が右及び左の支持部材３１に亘って連結されており、横フレーム３３と支持フレーム２９とに亘って補強部材３４が連結されている。
【００３０】
図５及び後述する［４］に記載のように、屋根３０は、枠状のフレーム３７に、シート３８を上側から取り付けて構成されている。
図１及び図２に示すように、屋根３０が支持フレーム２９の上部に支持されて、片持ち状に後方に延出されている。平面視において（図２参照）、屋根３０は運転座席１１の上方、右及び左のステップ２５の上方、ホッパー１３（繰り出し部１２）の上方及び苗のせ台１０の前部の上方に亘っている。平面視において（図２参照）、屋根３０の後部の横幅と、ホッパー１３（繰り出し部１２）の横幅（右及び左のステップ２５に亘る横幅）とが略同じになるように構成されている。
【００３１】
［４］
次に、屋根３０を構成するフレーム３７について説明する。
図５に示すように、フレーム３７は外周部を形成する部分として、左右方向の前フレーム３９（外フレームに相当）、右及び左の斜め左右方向の前横フレーム４０（外フレームに相当）、左右方向の後フレーム４１（外フレームに相当）、右及び左の前後方向の横フレーム４２（外フレームに相当）を備えている。
【００３２】
図５に示すように、右及び左の横フレーム４２に亘って、左右方向の内フレーム４３が連結され、前フレーム３９と内フレーム４３とに亘って右及び左の前後方向の内フレーム４４が連結されており、右及び左の内フレーム４４に亘って左右方向の内フレーム４５が連結されている。前フレーム３９、前横フレーム４０、後フレーム４１及び内フレーム４３に亘って、前後方向の４つの内フレーム４６が連結されている。
【００３３】
図３，４，５に示すように、右及び左の内フレーム４４の前部に、右及び左のブラケット４７が下向きに連結されており、右のブラケット４７と右の内フレーム４４とに亘って補強部材４８が連結されている。横フレーム３３の右及び左端部（支持部材３１）に右及び左の支点軸４９が連結されて、支持部材３１の外側において支点軸４９にブラケット４７が揺動自在に接続されており、屋根３０（フレーム３７）が支点軸４９の横軸芯Ｐ１周りに上下に揺動自在に支持されている。
【００３４】
図３，４，５に示すように、断面Ｕ字状の支持ブラケット５０及び板状の支持ブラケット５１が横フレーム３３に連結されており、ロックピン５２が支持ブラケット５０，５１にスライド自在に支持されて、ロックピン５２を突出側（図３の紙面右方）に付勢するバネ５３がロックピン５２に外嵌されている。右のブラケット４７に４個の孔部４７ａが開口されており、支持ブラケット５０と右の内フレーム４４とに亘って、フレーム３７を上方に付勢するダンパー５４が接続されている。
【００３５】
以上の構造により、ロックピン５２を図３の紙面左方に操作してブラケット４７の孔部４７ａから抜くことによって、屋根３０（フレーム３７）を横軸芯Ｐ１周りに上下に揺動させて、屋根３０（フレーム３７）の姿勢を変更することができる。この場合、ダンパー５４により屋根３０（フレーム３７）が支持されているので、屋根３０（フレーム３７）の姿勢の変更が楽に行える。
屋根３０（フレーム３７）の姿勢を変更した後、ロックピン５２を図３の紙面右方に操作してブラケット４７の孔部４７ａに挿入することにより、屋根３０（フレーム３７）を所望の姿勢で固定することができる。
【００３６】
［４］
次に、屋根３０を構成するシート３８について説明する。
図６，７，８に示すように、シート３８は、可撓性を有するビニールシートや、防水加工が施された可撓性を有する布等により全体が構成されている。シート３８の端部３８ａ（外周部）が内側（下側）に曲げられて、ポケット状の挿入部３８ｂがシート３８の外周部の全周に亘って形成されており、シート３８の端部３８ａにおいて内フレーム４３に対向する部分に、Ｖ字状の切り込み部３８ｃが備えられている。
【００３７】
図６，７，８に示すように、シート３８の端部３８ａに沿って、第１面ファスナ５５（商品名・マジックテープ）が接合されており、シート３８の端部３８ａから所定距離だけ内側の部分に沿って、第２面ファスナ５６（商品名・マジックテープ）が接合されている（以上、第１面ファスナ５５、第２面ファスナ５６及びシート３８の端部３８ａ等によって、取付手段が構成される）。
【００３８】
以上の構造により、シート３８をフレーム３７に取り付ける場合、図５及び図８に示すように、シート３８の全体をフレーム３７に上側から載せ付けて（シート３８の端部３８ａを前フレーム３９、前横フレーム４０、後フレーム４１及び横フレーム４２に上側から載せ付けて）、シート３８の挿入部３８ｂに前フレーム３９、前横フレーム４０、後フレーム４１及び横フレーム４２を挿入する。
【００３９】
この場合、シート３８の右及び左の切り込み部３８ｃを通る線に沿って、シート３８の全体を折り曲げながら、シート３８の全体をフレーム３７に上側から載せ付けることによって、シート３８の前半部の挿入部３８ｂに前フレーム３９、前横フレーム４０及び横フレーム４２を挿入し、次にシート３８の後半部の挿入部３８ｂに後フレーム４１及び横フレーム４２を挿入すると、作業が行い易い。
【００４０】
以上のようにして図８に示すように、シート３８の全体をフレーム３７に上側から載せ付けて、シート３８の挿入部３８ｂに前フレーム３９、前横フレーム４０、後フレーム４１及び横フレーム４２を挿入した後、第１面ファスナ５５を第２面ファスナ５６に接合させることにより、シート３８をフレーム３７（前フレーム３９、前横フレーム４０、後フレーム４１及び横フレーム４２）に取り付ける（以上、シートの端部を外フレームに上側から載せ付けて、シートの端部を内側に向けて外フレームに巻き付けながら、第１面ファスナを第２面ファスナに接合させることにより、シートを外フレームに取り付ける状態に相当）。
【００４１】
シート３８をフレーム３７から取り外す場合、前述とは逆に第１面ファスナ５５を第２面ファスナ５６から分離させ、シート３８の挿入部３８ｂから前フレーム３９、前横フレーム４０、後フレーム４１及び横フレーム４２を抜くことにより、シート３８をフレーム３７から取り外すことができる。
【００４２】
［発明の実施の第１別形態］
前述の［発明を実施するための形態］において、フレーム３７を図９に示すように、中央のフレーム５７、右及び左のフレーム５８により構成してもよい。
図９に示すように、中央のフレーム５７は、前横フレーム４０（図５参照）を廃止し、前横フレーム４０を廃止した長さだけ後フレーム４１を短くして、前フレーム３９と後フレーム４１とに亘って横フレーム４２を接続した形状である。
この場合、中央のフレーム５７において、前フレーム３９及び後フレーム４１が外フレームとなり、横フレーム４２（内フレーム４３，４４，４５）が内フレームとなる。
【００４３】
図９に示すように、右及び左のフレーム５８は、斜めの左右方向の前フレーム５９（外フレームに相当）、左右方向の後フレーム６０（外フレームに相当）、前後方向の外横フレーム６１（外フレームに相当）及び前後方向の内横フレーム６２（内フレーム相当）を備えている。
【００４４】
図９に示すように、中央のフレーム５７の横フレーム４２と、右及び左のフレーム５８の内横フレーム６２とが、ヒンジ部材６３を介して連結されている。中央のフレーム５７に対して右及び左のフレーム５８は、図９に示す横向き姿勢からヒンジ部材６３を支点として上方に揺動できるのであるが、図９に示す横向き姿勢からヒンジ部材６３を支点として下方に揺動できない状態となっている。
これにより、シート３８をフレーム３７に取り付けた状態、シート３８をフレーム３７から取り外した状態において、右及び左のフレーム５８を上方に折り畳むことができる。
【００４５】
［発明の実施の第２別形態］
前述の［発明を実施するための形態］［発明の実施の第１別形態］において、シート３８を図１０（ａ）（ｂ）に示すように構成してもよい。
図１０（ａ）（ｂ）に示すように、シート３８の右及び左部において、シート３８の右及び左の端部３８ａが内側（下側）に曲げられて、ポケット状の右及び左の挿入部３８ｄがシート３８の右及び左部に形成されている。シート３８の右及び左の端部３８ａにベルト６４が接続されており、ベルト６４に接続用のバックル６５が備えられている（以上、ベルト６４、バックル６５及びシート３８の右及び左の挿入部３８ｄ等によって、取付手段が構成される）。
【００４６】
以上の構造により、シート３８を図９又は図５に示すフレーム３７に取り付ける場合、図１０（ｂ）に示すように、シート３８の全体をフレーム３７に上側から載せ付けて、シート３８の右及び左の挿入部３８ｄに外横フレーム６１（横フレーム４２）を挿入する。次に、対向するバックル６５を互いに接続し、ベルト６４が張るようにベルト６４を締め付ける。
【００４７】
シート３８をフレーム３７から取り外す場合、前述とは逆にバックル６５を互いに分離させ、シート３８の右及び左の挿入部３８ｄから外横フレーム６１（横フレーム４２）を抜くことにより、シート３８をフレーム３７から取り外すことができる（以上、シートの挿入部に外フレームを挿入することにより、シートを外フレームに取り付け、シートの挿入部から外フレームを抜くことにより、シートを外フレームから取り外す状態に相当）。
【００４８】
［発明の実施の第３別形態］
前述の［発明を実施するための形態］［発明の実施の第１別形態］［発明の実施の第２別形態］において、シート３８を図１１（ａ）（ｂ）に示すように構成してもよい。
シート３８において、図６，７，１０（ａ）（ｂ）に示すシート３８の挿入部３８ｂ、右及び左の挿入部３８ｄを備えずに、図１１（ａ）（ｂ）に示すように、シート３０の端部３８ａの外周部の複数個所（シート３８の端部３８ａと端部３８ａとの間）が分離されている。シート３８の端部３８ａに沿って、第１面ファスナ５５が接合されており、シート３８の端部３８ａから所定距離だけ内側の部分に沿って、第２面ファスナ５６が接合されている（以上、第１面ファスナ５５、第２面ファスナ５６及びシート３８の端部３８ａ等によって、取付手段が構成される）。
【００４９】
以上の構造により、図 １１（ａ）（ｂ）に示すように、シート３８の全体をフレーム３７に上側から載せ付けて（シート３８の端部３８ａを前フレーム３９、前横フレーム４０、後フレーム４１及び横フレーム４２（外横フレーム６１）に上側から載せ付けて）、シート３８の端部３８ａを内側に向けて前フレーム３９、前横フレーム４０、後フレーム４１及び横フレーム４２（外横フレーム６１）に巻き付けながら、第１面ファスナ５５を第２面ファスナ５６に接合させることにより、シート３８をフレーム３７に取り付ける。
【００５０】
［発明の実施の第４別形態］
前述の［発明を実施するための形態］［発明の実施の第１別形態］〜［発明の実施の第３別形態］において、図１２に示す構成をシート３８に備えてもよい。
図１２に示すように、シート３８の内側の部分に開口部３８ｅを形成して、シート３８と同じ素材又は同等の材質を備えた可撓性のカバー部３８ｆを、開口部３８ｅの前縁部に接続し、開口部３８ｅの後縁部及びカバー部３８ｆの後縁部に面ファスナ６６（商品名・マジックテープ）を接合する。
【００５１】
以上の構造により、シート３８をフレーム３７に取り付けている状態において、シート３８のカバー部３８ｆにより開口部３８ｅを上側から閉じて、面ファスナ６６を接合しておく。
この状態において、屋根３０が強風を受けた場合（特に強風を屋根３０の下側に受け場合）、強風が面ファスナ６６の接合力よりも勝ると、面ファスナ６６の接合が外れて、シート３８のカバー部３８ｆが上方に開くのであり、強風がシート３８の開口部３８ｅを抜ける。
【００５２】
［発明の実施の第５別形態］
前述の［発明を実施するための形態］［発明の実施の第１別形態］〜［発明の実施の第４別形態］において、図１及び図２に示す支持フレーム２９を廃止し、図１３に示すように構成してもよい。
図１３に示すように、予備苗のせ台２８を支持する右及び左のフレーム２７を上方に延出して、フレーム２７を支持フレームとし、右及び左のフレーム２７の上部に亘って左右方向の支持部材６７を連結して、支持部材６７に屋根３０を支持するように構成する。
【００５３】
［発明の実施の第６別形態］
前述の［発明を実施するための形態］［発明の実施の第１別形態］〜［発明の実施の第５別形態］において、図１４に示すように、平面視で屋根３０が運転座席１１の上方、右及び左のステップ２５の上方、ホッパー１３（繰り出し部１２）の上方及び苗のせ台１０の前部の上方、ボンネット２１の上方、右及び左の前フロア２４の上方に亘るように構成してもよい。
【００５４】
［発明の実施の第７別形態］
前述の［発明を実施するための形態］［発明の実施の第１別形態］〜［発明の実施の第６別形態］において、エンジン１９を運転座席１１の下側に備え、ブロア１４を右又は左の繰り出し部１２の横外側に備えるように構成してもよい。
第１及び第２面ファスナ５５，５６及び面ファスナ６６に代えて、紐や、衣服等に使用されるボタンやフック、ファスナ（ジッパー）等を、取付手段として使用してもよい。
シート３８の端部３８ａを前フレーム３９、前横フレーム４０、後フレーム４１及び横フレーム４２（外横フレーム６１）に取り付ける取付手段に加えて、シート３８の中間部を内フレーム４３，４４，４５，４６及び内横フレーム６２に取り付け及び取り外し自在な取付手段を備えてもよい。
【産業上の利用可能性】
【００５５】
本発明は、乗用型田植機において、田面に種籾を播種する直播装置を施肥装置に代えて装備して、乗用型田植機を乗用型直播機として使用する水田作業機に適用することができる。
機体の後部に苗植付装置に代えて直播装置を支持した乗用型直播機等の水田作業機にも適用することができる。この場合、機体の前部の農用資材載置部は、苗ではなく、種籾（農用資材に相当）や肥料（農用資材に相当）を載置する為に使用する。
【符号の説明】
【００５６】
１１              運転座席
１２，１３        作業装置
２７              フレーム
２８              農用資材載置部
２９              支持フレーム
３０              屋根
３８              シート
３８ａ            シートの端部
３８ｂ，３８ｄ    シートの挿入部
３８ｅ            シートの開口部
３８ｆ            シートのカバー部
３９〜４２        外フレーム
４３〜４６        内フレーム
５５              第１面ファスナ
５６              第２面ファスナ
５９，６０，６１  外フレーム
６２              内フレーム
６６              面ファスナ
【図１】
2016067259.tif 000003
【図２】
2016067259.tif 000004
【図３】
2016067259.tif 000005
【図４】
2016067259.tif 000006
【図５】
2016067259.tif 000007
【図６】
2016067259.tif 000008
【図７】
2016067259.tif 000009
【図８】
2016067259.tif 000010
【図９】
2016067259.tif 000011
【図１０】
2016067259.tif 000012
【図１１】
2016067259.tif 000013
【図１２】
2016067259.tif 000014
【図１３】
2016067259.tif 000015
【図１４】
2016067259.tif 000016